(57)【要約】【課題】  粘着テープの覆い全体を支持グリップ方向に引き寄せる構造又は、支持具の金属部を曲げてスタンドにしている形状であると使用時に覆や金属部が邪魔になる。【解決手段】  巻き粘着テープの付着面と置場面との間隔をつくるスタンドを必要最小限にして巻き粘着テープと支持具のグリップとの間に収める、又はスタンドを支持具のグリップの中に格納するスタンド一体型巻粘着テープ清掃用具。【選択図】  図１
2015173760.tif 000002
【特許請求の範囲】
【請求項１】
粘着テープの粘着面に微細な塵を粘着して清掃する巻粘着テープが支持具により回転自在に成っていて、使用後直ちに立置きできる清掃用具は、巻粘着テープの紙管を装着する紙管装着軸と、紙管装着軸を装着する支持具とスタンドによりなされていて、支持具の構成を支持グリップと支持アームと支持シャフトにして、スタンドは、支持シャフトが貫通するパイプと、置バーと、支持アームと置バーとの角度をコントロールするコントロール版との構成に成っていて、コントロール版に形成する一対の位置確定隆起間は支持アームがはまる溝形状に成っていて、この一対の位置確定隆起を複数設けると共に、支持シャフトに二本の切り込みを設けて一方の切り切込に留ワッシャーを装着して、装着パイプと留ワッシャー間にスタンドの回転により支持アームと位置確定隆起との干渉幅を吸収する干渉幅吸収スプリングを設けて、他方の切り込みに紙管装着軸に設けられた紙管装着軸の位置の確定と脱落防止の２壁の間に紙管装着軸留ワッシャーを装着することを特徴とするスタンド一体型巻粘着テープ清掃用具。
【請求項２】
スタンド一体型粘着清掃用具において、支持具は支持グリップとグリップカバーと支持シャフトと支持アームの構成にし、スタンドは巻粘着テープを跨ぐ置きバーと、置きバーを束ねるバーベースの構成にして、バーベースに支持シャフトが貫通するするスライド穴と移動レバーを設け、置きバーとバーベースの接続部は屈伸自在に形成して、支持グリップに固定穴を設け支持シャフトエンドを挿入し固定して、支持グリップに移動レバーを移動するための開口部とレバー留突起を設け、グリップカバーに置きバーが貫通する角度確定穴と支持シャフトが貫通する穴が設けられていることを特徴とする請求項１に記載のスタンド一体型巻粘着テープ清掃用具。
【発明の詳細な説明】
【技術分野】
【０００１】
巻粘着テープの粘着面に微細な塵を粘着して清掃する巻粘着テープが支持具により回転自在に成っていて、使用後直ちに立置きできる清掃用具に関する。
【背景技術】
【０００２】
巻粘着テープが支持具により回転自在に成っていて、使用後直ちに立置きできるスタンド一体型巻粘着テープ清掃用具は、従来、支持具の持ち手部分方向に巻き粘着テープの覆い全体を引き寄せる構造又は、支持具の金属部の曲りがスタンドに成っているものが見られる。
【０００３】
しかしながら、従来の粘着テープの覆い全体を引き寄せる構造又は、支持具の金属部を曲げてスタンドにしている形状であると使用時に覆や金属部が邪魔になる欠点があった。
【先行技術文献】
【特許文献】
【０００４】
【特許文献１】実願２０１２−６８２４
【特許文献２】特開２０１２−１０５８１９
【特許文献３】特開平９−７５２９３
【発明の概要】
【発明が解決しようとする課題】
【０００５】
特許文献１は、本出願と同じ分野のものが出願されていて、特許文献１は支持具の持ち手部分方向に巻き粘着テープの覆い全体を引き寄せる構造機能に成っている、しかしながら衣服に付いた微細塵を粘着させる場合覆いが邪魔になる欠点が見受けられる。
【０００６】
本発明は、以上のような従来の欠点に鑑み、巻き粘着テープの付着面と置場面との間隔をつくるスタンドを必要最小限にして巻き粘着テープと支持具のグリップとの間に収める、又は支持具のグリップの中に格納するスタンド一体型巻粘着テープ清掃用具を提供することで解消した。
【課題を解決するための手段】
【０００７】
請求項１は、粘着テープの粘着面に微細な塵を粘着して清掃する巻粘着テープが支持具により回転自在に成っていて、使用後直ちに立置きできる清掃用具は、巻粘着テープの紙管を装着する紙管装着軸と、紙管装着軸を装着する支持具とスタンドによりなされていて、支持具の構成を支持グリップと支持アームと支持シャフトにして、スタンドは、支持シャフトが貫通するパイプと、置バーと、支持アームと置バーとの角度をコントロールするコントロール版との構成に成っている。
【０００８】
コントロール版に形成する一対の位置確定隆起間は支持アームがはまる溝形状に成っていて、この一対の位置確定隆起を複数設けると共に、支持シャフトに二本の切り込みを設けて一方の切り切込に留ワッシャーを装着して、装着パイプと留ワッシャー間にスタンドの回転により支持アームと位置確定隆起との干渉幅を吸収する干渉幅吸収スプリングを設けて、他方の切り込みに紙管装着軸に設けられた紙管装着軸の位置の確定と脱落防止の２壁の間に紙管装着軸留ワッシャーを装着するスタンド一体型巻粘着テープ清掃用具。
【０００９】
請求項２は、スタンド一体型粘着清掃用具において、支持具は支持グリップとグリップカバーと支持シャフトと支持アームの構成にし、スタンドは巻粘着テープを跨ぐ置きバーと、置きバーを束ねるバーベースの構成にして、バーベースに支持シャフトが貫通するするスライド穴と移動レバーを設け、置きバーとバーベースの接続部は屈伸自在に形成して、支持グリップに固定穴を設け支持シャフトエンドを挿入し固定して、支持グリップに移動レバーを移動するための開口部とレバー留突起を設け、グリップカバーに置きバーが貫通する角度確定穴と支持シャフトが貫通する穴が設けられているスタンド一体型巻粘着テープ清掃用具。
【００１０】
請求項１に対応するスタンド一体型粘着清掃用具は、粘着テープの粘着面に微細な塵を粘着して清掃する巻粘着テープが支持具により回転自在に成っていて、使用後直ちに立置きできる清掃用具は、巻粘着テープの紙管を装着する紙管装着軸と、紙管装着軸を装着する支持具とスタンドによりなされていて、支持具は支持グリップと支持アームと支持シャフトの構成に成っている。
【００１１】
巻粘着テープの粘着面と置場面との空間を作るためのスタンドは、支持シャフトが貫通するパイプ部と、置バー部と、支持アームと置バーとの角度をコントロールするコントロール版部との構成に成っていて、コントロール版面に形成する二本で一対の位置確定隆起間は支持アームがはまる溝形状に成っていて、この二本で一対の位置確定隆起を複数設ける。
【００１２】
支持シャフトに二本の切り込みを設けて、一方の切込に留ワッシャーを装着して、装着パイプと留ワッシャー間にスタンドの回転により支持アームと位置確定隆起との干渉で発生する干渉幅を吸収する干渉幅吸収スプリングを設けて、他方の切り込みに紙管装着軸に設けられた紙管装着軸の位置の確定と脱落防止の２壁の間に紙管装着軸留ワッシャーを装着する。
【００１３】
請求項２に対応するスタンド一体型粘着清掃用具は、  粘着テープの粘着面に微細な塵を粘着して清掃する巻粘着テープが支持具により回転自在に成っていて、使用後直ちに立置きできるスタンド一体型巻粘着テープ清掃用具において、支持具は支持グリップとグリップカバーと支持シャフトと支持アームの構成にし、スタンドは巻粘着テープを跨ぐ置きバー４本と置きバーを束ねるバーベースの構成にして、バーベースに支持シャフトが貫通するする支持シャフトスライド穴とスタンドを指により移動するためのちいさい移動レバーを設け、置きバーとバーベースの接続部は屈伸自在に形成する。
【００１４】
支持グリップに支持シャフトエンドを挿入し固定するシャフト固定穴と、スタンドに設けられた移動レバーを移動するための開口部を設け、開口部に移動レバー を留めるためのレバー留突起を設けて、支持グリップの一端に装着する支持グリップカバーに置きバーが貫通する角度確定穴と支持シャフトが貫通する穴を設ける。
【発明の効果】
【００１５】
以下図面に基づき説明する。
図１−図７符合１−１５は、粘着テープの粘着面に微細な塵を粘着して清掃する巻粘着テープが支持具(１)により回転自在に成っていて、使用後直ちに立置きできる清掃用具は、スタンド(３)にパイプ(７)部を設けたことにおいて、パイプ(７)部に支持シャフト(６)を貫通させて支持具(１)にスタンド(３)を回転自在に装着出来る。
【００１６】
スタンド(３)に回転コントロール版(９)を設け、回転コントロール版(９)に二本で一対の位置確定隆起(１０)を形成して位置確定隆起(１０)間は溝形状にしたことにおいて、位置確定隆起(１０)間に支持アーム(５)を合わせてスタンド(３)の位置を決めることが出来る。
【００１７】
支持シャフト(６)に切り込みを設けて切込に留ワッシャー(１１)を装着して、装着パイプ(７)と留ワッシャー(１１)間に干渉幅吸収スプリング(１２)を設けたことにおいて、スタンド(３)の回転により支持アーム(５)と位置確定隆起(１０)との干渉で発生する干渉幅を吸収することが出来る。
【００１８】
図８−図１３符合１６−３２は、粘着テープの粘着面に微細な塵を粘着して清掃する巻粘着テープ(１６)が支持具(１７)により回転自在に成っていて、使用後直ちに立置きできるスタンド(１８)一体型巻粘着テープ(１６)清掃用具において、支持グリップ(１９)に開口部(２９)が形成され、開口部(２９)にレバー留突起(３０)を形成してあることにおいて、開口部(２９)内で移動レバー (２７)を移動することが出来ると共に、開口部(２９)の両端に移動レバー (２７)を留めることが出来る。
【００１９】
バーベース(２４)に支持シャフト(２１)が貫通するするスライド穴(２５)を設けたことにおいて、支持シャフト(２１)にスタンド(１８)を装着することが出来る。
【００２０】
支持グリップ(１９)の一端に装着する支持グリップカバー(２０)に置バー(２３)が貫通する角度確定穴(３１)と支持シャフト(２１)が貫通する穴(３１)を設け、バーベース(２４)に支持シャフト(２１)が貫通するするスライド穴(２５)が設けられ、置きバー(２３)とバーベース(２４)の接続部(２６)は屈伸自在に形成されていて、角度確定穴(３１)と穴(３２)の距離がスライド穴(２５)と接続部(２６)の距離よりも長く形成されていることにおいて、支持シャフト(２１)にスタンド(１８)を装着してスタンド(１８)の移動と共に接続部(２６)を支点として支持シャフト(２１)と置きバー(２３)の開閉角度を変化することが出来る。
【００２１】
置きバー(２３)とバーベース(２４)の接続部は屈伸自在に形成することにおいて、スタンド(１８)の移動と共に発生する接続部(２６)を支点として支持シャフト(２１)と置きバー(２３)の開閉角度の変化に対応することが出来る。
【００２２】
支持シャフト(２１)と置きバー(２３)の開閉角度を変化出来ることにおいて、置きバー(２３)４本間の距離を変化させ置きバー(２３)間を開閉させて巻粘着テープ(１６)を跨ぐことが出来る。
【図面の簡単な説明】
【００２３】
【図１】支持具(１)と紙管装着軸(２)とスタンド(３)の正面図。
【図２】紙管装着軸(２)とスタンド(３)の背面図。
【図３】紙管装着軸(２)とスタンド(３)の平面図、A−A線切断線を示す。
【図４】図３のA−A線切断部端面図。
【図５】紙管装着軸(２)とスタンド(３)の底面図。
【図６】紙管装着軸(２)とコントロール版(９)の右側面図。
【図７】紙管装着軸(２)と置バー(８)の左側面図。
【図８】支持グリップ(１９)と置きバー(２３)の正面図。
【図９】支持グリップ(１９)と置きバー(２３)の背面図。
【図１０】支持具(１７)とスタンド(１８)のイメージ正面図。
【図１１】支持具(１７)とスタンド(１８)のイメージ正面図、切断線B−B線と切断線C−C線を示し、スタンド(１８)を支持グリップ(１９)に格納している。
【図１２】図１１のB−B線切断部端面図。
【図１３】図１１のC−C線切断部端面図。
【発明を実施するための形態】
【００２４】
以下図面に基づき説明する。
図１−図７符合１−１５は、粘着テープの粘着面に微細な塵を粘着して清掃する巻粘着テープが支持具(１)により回転自在に成っていて、使用後直ちに立置きできる清掃用具は、巻粘着テープの紙管を装着する紙管装着軸(２)と、紙管装着軸(２)を装着する支持具(１)とスタンド(３)によりなされていて、支持具(１)は支持グリップ(４)と支持アーム(５)と支持シャフト(６)の構成に成っている。
【００２５】
巻粘着テープの粘着面と置場面との空間を作るためのスタンド(３)は、支持シャフト(６)が貫通するパイプ(７)部と、置バー(８)部と、支持アーム(５)と置バー(８)との角度をコントロールするコントロール版(９)部との構成に成っていて、コントロール版(９)面に形成する二本で一対の位置確定隆起(１０)間は支持アーム(５)がはまる溝形状に成っていて、この二本で一対の位置確定隆起(１０)を複数設ける。
【００２６】
支持シャフト(６)に二本の切り込みを設けて、一方の切込に留ワッシャー(１１)を装着して、装着パイプ(７)と留ワッシャー(１１)間にスタンド(３)の回転により支持アーム(５)と位置確定隆起(１０)との干渉で発生する干渉幅を吸収する干渉幅吸収スプリング(１２)を設けて、他方の切り込みに紙管装着軸(２)に設けられた紙管装着軸(２)の位置の確定と脱落防止の２壁(１３)の間に紙管装着軸留ワッシャー(１４)を装着する。
【００２７】
図1−図８符合１−１５のスタンド一体型巻粘着テープ清掃用具が立置されている場合からの使用は、置バー(８)を支持グリップ(４)と紙管装着軸(２)間に収めるために、一方の手で支持グリップ(４)を握り取り上げ他方の手の指をコントロール部(１５)に引っ掛けて、支持グリップ(４)方向にコントロール版(９)を１８０度回転して、支持アーム(５)を位置確定隆起(１０)間にセットして使用する、使用後横置きの場合は指をコントロール部(１５)に引っ掛けてコントロール版を９０度回転し支持アーム(５)を位置確定隆起(１０)間にセットして使用するする。
【００２８】
図８−図１３符合１６−３２は、粘着テープの粘着面に微細な塵を粘着して清掃する巻粘着テープ(１６)が支持具(１７)により回転自在に成っていて、使用後直ちに立置きできるスタンド(１８)一体型巻粘着テープ清掃用具において、支持具(１７)は支持グリップ(１９)とグリップカバー(２０)と支持シャフト(２１)と支持アーム(２２)の構成にし、スタンド(１８)は巻粘着テープ(１６)を跨ぐ置きバー(２３)４本と置きバー(２３)を束ねる置バーベース(２４)の構成にして、バーベース(２４)に支持シャフト(２１)が貫通するする支持シャフト(２１)スライド穴(２５)とスタンド(１８)を指により移動するためのちいさい移動レバー(２６)を設け、置バー(２３)とバーベース(２４)の接続部(２６)は屈伸自在に形成する。
【００２９】
支持グリップ(１９)に支持シャフト(２１)の一端を挿入して固定するためのシャフト固定穴(２８)と、スタンド(１８)に設けられた移動レバー(２７)を移動するための開口部(２９)を設け、開口部(２９)に移動レバー (２７)を留めるためのレバー留突起(３０)を設けて、支持グリップ(１９)の一端に装着する支持グリップカバー(２０)に置きバー(２３)が貫通する角度確定穴(３１)と支持シャフト(２１)が貫通する穴(３２)を設ける。
【００３０】
図８−図１３符合１６−３１のスタンド(１８)一体型巻粘着テープ清掃用具が立置されている場合からの使用は、一方の手で支持グリップ(１９)を握り取り上げ他方の手の指を使用して移動レバー (２７)を強めに動かしてレバー留突起(３０)と移動レバー (２７)の係止を解いて、移動レバー (２７)を支持グリップ(１９)エンド方向に開口部(２９)内を移動すると共に置きバー(２３)が支持グリップ(１９)内に格納されて、さらにレバー留突起(３０)に移動レバー (２７)を係止して使用する
【符号の説明】
【００３１】
１  支持具
２  紙管装着軸
３  スタンド
４  支持グリップ
５  支持アーム
６  支持シャフト
７  パイプ
８  置バー
９  コントロール版
１０  位置確定隆起
１１  留ワッシャー
１２  干渉幅吸収スプリング
１３  壁
１４  紙管装着軸留ワッシャー
１５  コントロール部
１６  巻粘着テープ
１７  支持具
１８  スタンド
１９  支持グリップ
２０  グリップカバー
２１  支持シャフト
２２  支持アーム
２３  置バー  
２４  バーベース
２５  スライド穴
２６  接続部
２７  移動レバー
２８  シャフト固定穴
２９  開口部
３０  レバー留突起
３１  角度確定穴
３２  穴
【図１】
2015173760.tif 000003
【図２】
2015173760.tif 000004
【図３】
2015173760.tif 000005
【図４】
2015173760.tif 000006
【図５】
2015173760.tif 000007
【図６】
2015173760.tif 000008
【図７】
2015173760.tif 000009
【図８】
2015173760.tif 000010
【図９】
2015173760.tif 000011
【図１０】
2015173760.tif 000012
【図１１】
2015173760.tif 000013
【図１２】
2015173760.tif 000014
【図１３】
2015173760.tif 000015